【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
画像表示領域に光源から光が入射される電気光学装置と、
該電気光学装置の一面に対向するように配置されるプレートと、前記プレートとで前記電気光学装置を収容するカバーとからなり、前記電気光学装置における前記画像表示領域の周辺に位置する周辺領域の少なくとも一部を前記プレートで保持するように当該電気光学装置を収納する実装ケースとを備えた実装ケース入り電気光学装置であって、
前記プレートは、前記電気光学装置の側面に対向する折り曲げ部を備え、
前記カバーは、前記カバーの内側面が前記プレートの前記折り曲げ部に接するとともに、前記カバーの外表面には複数のフィンを備えていることを特徴とする実装ケース入り電気光学装置。
【請求項２】
前記カバーは前記電気光学装置の側面に対向する側壁部を有し、
前記フィンは、前記側壁部に設けられることを特徴とする請求項１に記載の実装ケース入り電気光学装置。
【請求項３】
前記フィンは、当該実装ケース入り電気光学装置に対して送られてくる冷却風の流れに沿うようにして形成されていることを特徴とする請求項１又は２に記載の実装ケース入り電気光学装置。
【請求項４】
前記フィンは、直線状に形成されていることを特徴とする請求項１乃至３のいずれか一項に記載の実装ケース入り電気光学装置。
【請求項５】
前記フィンは、千鳥足状に配列されるように形成されていることを特徴とする請求項１乃至３のいずれか一項に記載の実装ケース入り電気光学装置。
【請求項６】
前記千鳥足状に配列されるように形成されたフィンは、複数の小フィンが列状に配列されて構成される第１列のフィンと、これに平行に延在し且つ複数の小フィンが列状に配列されて構成される第２列のフィンとを含み、
前記第２列のフィンを構成する前記小フィンの一つは、
前記第１列のフィンを構成し且つ相隣接する前記小フィン間の間隙の位置に対応するように形成されていることを特徴とする請求項５に記載の実装ケース入り電気光学装置。
【請求項７】
前記小フィン間の間隙は、前記小フィンの長さよりも大きいことを特徴とする請求項６に記載の実装ケース入り電気光学装置。
【請求項８】
前記小フィン間の間隙を含む前記小フィン間のピッチは３ｍｍ以上とされていることを特徴とする請求項６又は７に記載の実装ケース入り電気光学装置。
【請求項９】
前記小フィンの高さは０．５ｍｍ以上、幅は０．３ｍｍ以上とされていることを特徴とする請求項６乃至８のいずれか一項に記載の実装ケース入り電気光学装置。
【請求項１０】
前記フィンは、第１列のフィンと、これに平行に延在する第２列のフィンとを含み、
前記第１列のフィンと前記第２列のフィンとの間の間隔は１ｍｍ以上とされていることを特徴とする請求項６に記載の実装ケース入り電気光学装置。
【請求項１１】
前記カバーは、前記カバーの表面に窪みをつけるように形成されたディンプルを含むことを特徴とする請求項１乃至１０のいずれか一項に記載の実装ケース入り電気光学装置。
【請求項１２】
前記カバーは、高熱伝導率材料から構成されていることを特徴とする請求項１乃至１１のいずれか一項に記載の実装ケース入り電気光学装置。
【請求項１３】
画像表示領域に光源から光が入射される電気光学装置の一面に対向するように配置されるプレートと、前記プレートとで前記電気光学装置を収容するカバーとからなり、前記電気光学装置における前記画像表示領域の周辺に位置する周辺領域の少なくとも一部を前記プレート及び前記カバーの少なくとも一方で保持して当該電気光学装置を収納する実装ケースであって、
前記プレートは、前記電気光学装置の側面に対向する折り曲げ部を備え、
前記カバーは、前記カバーの内側面が前記プレートの前記折り曲げ部に接するとともに、前記カバーの外表面には複数のフィンを備えていることを特徴とする実装ケース。
【請求項１４】
前記カバーは、前記電気光学装置の側面に対向する側壁部を有し、
前記表面積増大手段は、前記側壁部の表面積を増大させることを特徴とする請求項１３に記載の実装ケース。
【請求項１５】
請求項１乃至１２のいずれか一項に記載の実装ケース入り電気光学装置と、
前記光源と、
前記投射光を前記電気光学装置に導く光学系と、
前記電気光学装置から出射される投射光を投射する投射光学系と、
前記実装ケース入り電気光学装置に対して冷却風を送出する冷却風送出手段と
を備えたことを特徴とする投射型表示装置。
【手続補正２】
【補正対象書類名】明細書
【補正対象項目名】００１２
【補正方法】変更
【補正の内容】
【００１２】
【課題を解決するための手段】
本発明の実装ケース入り電気光学装置は、上記課題を解決するため、画像表示領域に光源から光が入射される電気光学装置と、該電気光学装置の一面に対向するように配置されるプレートと、前記プレートとで前記電気光学装置を収容するカバーとからなり、前記電気光学装置における前記画像表示領域の周辺に位置する周辺領域の少なくとも一部を前記プレート及び前記カバーの少なくとも一方で保持して当該電気光学装置を収納する実装ケースとを備えた実装ケース入り電気光学装置であって、前記カバーは、その表面積を増大させる表面積増大手段を備えている。さらに具体的には、前記プレートは、前記電気光学装置の側面に対向する折り曲げ部を備え、前記カバーは、前記カバーの内側面が前記プレートの前記折り曲げ部に接するとともに、前記カバーの外表面には表面積増大手段として複数のフィンを備えている。
【手続補正３】
【補正対象書類名】明細書
【補正対象項目名】００１３
【補正方法】変更
【補正の内容】
【００１３】
本発明の実装ケース入り電気光学装置によれば、画像表示領域に光源から光が入射される電気光学装置が、カバー及びプレートからなる実装ケース内に実装される。このような電気光学装置としては、例えば投射型表示装置におけるライトバルブとして実装される液晶装置或いは液晶パネルが挙げられる。なお、このような実装ケースには、電気光学装置の周辺領域を少なくとも部分的に覆うことにより、当該周辺領域における光抜けを防止したり或いは周辺領域から画像表示領域内に迷光が進入するのを防止する遮光機能を持たせてもよい。
【手続補正４】
【補正対象書類名】明細書
【補正対象項目名】００１５
【補正方法】変更
【補正の内容】
【００１５】
まず、電気光学装置には前記光が入射されることにより、該電気光学装置の温度は上昇する。すると、この電気光学装置の熱は、前記周辺領域を保持するプレート及びカバーの少なくとも一方に直接的に伝達され、或いはプレートに伝達された熱は前記当接する部分を介してカバーに間接的に伝達されることになる。この場合、これらプレート及びカバーは、電気光学装置に対するヒートシンクとして機能しているということができる。ここで、本発明においては、カバーには表面積増大手段が備えられていることにより、該カバーの放熱能力、或いは冷却能力は高められている。したがって、カバーは、殆ど常に、好適に冷却された状態にされているということができる。このことは、該カバーが、前述のヒートシンクとしてよりよく機能するということを意味する。
【手続補正５】
【補正対象書類名】明細書
【補正対象項目名】００５９
【補正方法】変更
【補正の内容】
【００５９】
本発明の実装ケースは、上記課題を解決するために、画像表示領域に光源から光が入射される電気光学装置の一面に対向するように配置されるプレートと、前記電気光学装置を覆い前記プレートと当接する部分を有するカバーとからなり、前記電気光学装置における前記画像表示領域の周辺に位置する周辺領域の少なくとも一部を前記プレート及び前記カバーの少なくとも一方で保持して当該電気光学装置を収納する実装ケースであって、前記カバーは、その表面積を増大させる表面積増大手段を備えている。